(57)【要約】【課題】原稿を複写するに当たって、印刷色領域内の色再現性を維持したまま、あらかじめ定められた範囲の色の識別性を向上させる。【解決手段】画像を画素読取部１１によってＲＧＢ値で読み取り、この読み取ったＲＧＢ値があらかじめ定められた第１の範囲の値であれば、当該ＲＧＢ値を印刷色領域外でかつ範囲同士の距離が第１識別閾値以上となる第２の範囲のＬ* ａ* ｂ* 値に色変換する。そして、この色変換後のＬ* ａ* ｂ* 値を、印刷色領域内でかつ範囲同士の距離が第２識別閾値以上となる第３の範囲のＬ* ａ* ｂ* 値に補正する。【選択図】図１
2010233170.tif 000002
【特許請求の範囲】
【請求項１】
画像を第１の表色系で表現された色値で読み取る画像読取部と、
あらかじめ定められた第１の範囲が複数あり、前記画像読取部で読み取られた前記第１の表色系で表現された色値が前記第１の範囲の内にある場合に前記第１の表色系で表現された色値を、出力装置で再現できない色で、かつ前記第１の範囲に対応する範囲であり、該範囲と該範囲があらかじめ定められている値以上離れている第２の範囲の内の第２の表色系で表現された色値に色変換する色変換部と、
前記色変換部による色変換後の前記第２の表色系で表現された色値を、前記出力装置で再現できる色で、かつ前記第２の範囲に対応する範囲であり、該範囲と該範囲があらかじめ定められている値以上離れている第３の範囲の内の前記第２の表色系で表現された色値に補正する色補正部と
を備える画像処理装置。
【請求項２】
前記色補正部は、前記第２の表色系で表現された色値の条件で、当該色値に対して画像処理を実施するか否かを判断し、前記第２の表色系で表現された色値が前記第２の範囲の値であれば前記画像処理を実施しない
請求項１記載の画像処理装置。
【請求項３】
前記第１の範囲は、前記第１の表色系で表現された色値の範囲である
請求項１記載の画像処理装置。
【請求項４】
前記出力装置で再現できる色は、あらかじめ印刷色として抽出された見本色である
請求項１記載の画像処理装置。
【請求項５】
前記第２の範囲は、前記出力装置で再現できる色との間の距離が前記第１の範囲よりも離れている
請求項１記載の画像処理装置。
【請求項６】
前記第２の範囲の範囲同士の距離は、代表色間の色相角差または彩度差である
請求項３記載の画像処理装置。
【請求項７】
前記第３の範囲の範囲同士の距離は、代表色間の色相角差または彩度差である
請求項３記載の画像処理装置。
【請求項８】
画像を第１の表色系で表現された色値で読み取り、
あらかじめ定められた第１の範囲が複数ありこの読み取った前記第１の表色系で表現された色値が前記第１の範囲の内にある場合に前記第１の表色系で表現された色値を、出力装置で再現できない色で、かつ前記第１の範囲に対応する範囲であり、該範囲と該範囲があらかじめ定められている値以上離れている第２の範囲の内の第２の表色系で表現された色値に色変換し、
この色変換後の前記第２の表色系で表現された色値を、前記出力装置で再現できる色で、かつ前記第２の範囲に対応する範囲であり、該範囲と該範囲があらかじめ定められている値以上離れている第３の範囲の内の前記第２の表色系で表現された色値に補正する
画像処理方法。
【発明の詳細な説明】
【技術分野】
【０００１】
本発明は、画像処理装置および画像処理方法に関する。
【背景技術】
【０００２】
マーカー色と呼ばれる蛍光色が塗られた原稿を複写する際に、蛍光色の分光特性に起因して原稿に塗られた蛍光色と異なった色再現になったり、異なる蛍光色が塗られた原稿であっても同じ色に再現されたりする場合がある。
【０００３】
従来は、蛍光判定モードでは、原稿の読取りを実施してその読み取った画像に蛍光色が含まれていればシェーディング補正のゲインを下げ、光量の調整を行うことで、蛍光色が飽和しないようにし、通常モードでは、シェーディング補正のゲイン調整を実施しないようしていた（例えば、特許文献１参照）。
【０００４】
また、Ｒ（赤色）Ｇ（緑色）Ｂ（青色）の値が飽和しているか否かで蛍光色を判定することに加えて、色ごとに閾値を持つことで蛍光色の種類まで特定するようにしていた（例えば、特許文献２参照）。
【先行技術文献】
【特許文献】
【０００５】
【特許文献１】特許第４０２７８１４号明細書
【特許文献２】特開２００４−２４２１０６号公報
【発明の概要】
【発明が解決しようとする課題】
【０００６】
本発明は、原稿を複写するに当たって、出力装置の色の再現を維持したまま、あらかじめ定められた範囲にある色の識別性を向上させることができる画像処理装置および画像処理方法を提供することを目的とする。
【課題を解決するための手段】
【０００７】
請求項１記載の画像処理装置は、
画像を第１の表色系で表現された色値で読み取る画像読取部と、
あらかじめ定められた第１の範囲が複数あり、前記画像読取部で読み取られた前記第１の表色系で表現された色値が前記第１の範囲の内にある場合に前記第１の表色系で表現された色値を、出力装置で再現できない色で、かつ前記第１の範囲に対応する範囲であり、該範囲と該範囲があらかじめ定められている値以上離れている第２の範囲の内の第２の表色系で表現された色値に色変換する色変換部と、
前記色変換部による色変換後の前記第２の表色系で表現された色値を、前記出力装置で再現できる色で、かつ前記第２の範囲に対応する範囲であり、該範囲と該範囲があらかじめ定められている値以上離れている第３の範囲の内の前記第２の表色系で表現された色値に補正する色補正部と
を備える。
【０００８】
請求項２記載の画像処理装置は、請求項１記載の画像処理装置において、
前記色補正部は、前記第２の表色系で表現された色値の条件で、当該色値に対して画像処理を実施するか否かを判断し、前記第２の表色系で表現された色値が前記第２の範囲の値であれば前記画像処理を実施しない。
【０００９】
請求項３記載の画像処理装置は、請求項１記載の画像処理装置において、
前記第１の範囲は、前記第１の表色系で表現された色値の範囲である。
【００１０】
請求項４記載の画像処理装置は、請求項１記載の画像処理装置において、
前記出力装置で再現できる色は、あらかじめ印刷色として抽出された見本色である。
【００１１】
請求項５記載の画像処理装置は、請求項１記載の画像処理装置において、
前記第２の範囲は、前記出力装置で再現できる色との間の距離が前記第１の範囲よりも離れている。
【００１２】
請求項６記載の画像処理装置は、請求項３記載の画像処理装置において、
前記第２の範囲の範囲同士の距離は、代表色間の色相角差または彩度差である。
【００１３】
請求項７記載の画像処理装置は、請求項３記載の画像処理装置において、
前記第３の範囲の範囲同士の距離は、代表色間の色相角差または彩度差である。
【００１４】
請求項８記載の画像処理方法は、
あらかじめ定められた第１の範囲が複数ありこの読み取った前記第１の表色系で表現された色値が前記第１の範囲の内にある場合に前記第１の表色系で表現された色値を、出力装置で再現できない色で、かつ前記第１の範囲に対応する範囲であり、該範囲と該範囲があらかじめ定められている値以上離れている第２の範囲の内の第２の表色系で表現された色値に色変換し、
この色変換後の前記第２の表色系で表現された色値を、前記出力装置で再現できる色で、かつ前記第２の範囲に対応する範囲であり、該範囲と該範囲があらかじめ定められている値以上離れている第３の範囲の内の前記第２の表色系で表現された色値に補正する。
【発明の効果】
【００１５】
請求項１記載の画像処理装置によれば、一度、出力装置で再現できる色の再現の範囲の外に色変換をしない発明に比べて出力装置の色の再現を維持したまま、あらかじめ定められた範囲にある色の識別性を向上させることができる。
【００１６】
請求項２記載の画像処理装置によれば、画像処理を実施することに伴い、範囲同士の距離が変化することにより色の識別性が低下することを防ぐことができる。
【００１７】
請求項３記載の画像処理装置によれば、印刷色領域内の色再現性を維持したまま、色の識別性を向上させることができる。
【００１８】
請求項４記載の画像処理装置によれば、印刷色領域内の色再現性を維持したまま、あらかじめ定められた範囲の色の識別性を向上させることができる。
【００１９】
請求項５記載の画像処理装置によれば、第１の範囲によって特定された色の識別性を、第２の範囲によって向上させることができる。
【００２０】
請求項６記載の画像処理装置によれば、印刷色領域内の色再現性を維持したまま、色の識別性を向上させることができる。
【００２１】
請求項７記載の画像処理装置によれば、印刷色領域内の色再現性を維持したまま、色の識別性を向上させることができる。
【００２２】
請求項８記載の画像処理方法によれば、一度、出力装置で再現できる色の再現の範囲の外に色変換をしない発明に比べて出力装置の色の再現を維持したまま、あらかじめ定められた範囲にある色の識別性を向上させることができる。
【図面の簡単な説明】
【００２３】
【図１】本発明の一実施形態に係る画像処理装置の構成を示すブロック図である。
【図２】蛍光色ごとに設定されるＲＧＢ値の範囲の数値の一例を示す図である。
【図３】同じ色に再現され易い蛍光色を印刷色領域外において識別するための基準となる第１識別閾値Ａの数値の一例を示す図である。
【図４】同じ色に再現され易い蛍光色を印刷色領域内において識別するための基準となる第２識別閾値Ｂの数値の一例を示す図である。
【図５】本発明による画像処理方法の処理手順の一例を示すフローチャートである。
【図６】印刷色領域と、蛍光色を特定するための第１の２つの範囲と、印刷色領域外に設定される第２の２つの範囲と、印刷色領域内に設定される第３の２つの範囲とをそれぞれ示すイメージ図である。
【図７】ソフトウェア構成によって実現する場合の画素処理部を構成するコンピュータ機器の構成例を示すブロック図である。
【発明を実施するための形態】
【００２４】
以下、本発明の実施の形態について図面を参照して詳細に説明する。
【００２５】
［システム構成］
図１は、本発明の一実施形態に係る画像処理装置のシステム構成を示すブロック図である。図１に示すように、本実施形態に係る画像処理装置１０は、画像読取部１１、色変換部１２および色補正部１３を有し、例えば複写機の一部を構築している。
【００２６】
複写機に適用される場合、画像処理装置１０において、画像読取部１１は、読取位置にセットされた原稿の画像を第１表色系による表色値、具体的にはＲＧＢ表色系（Ｒ：赤色、Ｇ：緑色、Ｂ：青色）による表色値（以下、「ＲＧＢ値」と記述する）で読み取る。そして、画像読取部１１は、読み取ったＲＧＢ値の画像データを例えば８ビット（２５６階調）のデジタルデータ（ＲＧＢデータ）で次段の色変換部１２に供給する。
【００２７】
色変換部１２は、画像読取部１１で読み取られたＲＧＢ値を、ＲＧＢ表色系とは異なる第２表色系、例えばＬ* ａ* ｂ* 表色系による表色値（以下、「Ｌ* ａ* ｂ* 値」と記述する）に変換し、次段の色補正部１３に供給する。
【００２８】
色補正部１３は、色変換部１２でＲＧＢ値からＬ* ａ* ｂ* 値に色変換されたＬ* ａ* ｂ* データに対して画像処理、例えば、彩度を上げる処理、フィルタリング処理、後述する色補正処理などの各種の画像処理を行う。
【００２９】
複写機の場合、色補正部１３で各種の画像処理が施された画像データＬ* ａ* ｂ*が、後段の信号処理系において最終的に記録紙に画像を形成する際の複数の印刷色、例えばＹ（イエロー）Ｍ（マゼンタ）Ｃ（シアン）Ｋ（ブラック／キー・プレート）に色変換されて、画像形成部（画像出力部）に供給されることになる。
【００３０】
ここで、画像読取部１１が読み取る原稿には、鉛筆やボールペンなどの筆記用具で記した文字または印刷された文字の上から、蛍光ペンによって蛍光色が重ね塗りされている場合がある。蛍光色は、半透明であるが故に重ね塗りされた文字を読み易く、また蛍光であるが故に目立ち易いために、重要な箇所に印をつけておく目的で主に使用される。
【００３１】
蛍光顔料は、太陽光などに色光と共に含まれている無色の紫外線をエネルギーとして吸収して励起状態となり、その後余分なエネルギーを長波長の色光に変えて放出する。このとき放出される色光が蛍光である。そして、蛍光顔料はその種類によって、吸収した紫外線エネルギーをどのような波長の色光に変えて再放出するかによって蛍光の色が異なってくる。
【００３２】
前にも述べたように、蛍光色が塗られた原稿を複写する際に、蛍光色の分光特性に起因して原稿に塗られた蛍光色と異なった色再現になったり、異なる蛍光色が塗られた原稿であっても同じ色に再現されたりする場合がある。
【００３３】
この点に鑑み、蛍光色が塗られた原稿を複写するに当たって、出力装置（図示せす）の色の再現を維持したまま、あらかじめ定められた範囲の色、即ち蛍光色の識別性を向上させるために為されたのが、本実施形態に係る画像処理装置１０である。
【００３４】
そして、本実施形態に係る画像処理装置１０では、出力装置の色の再現を維持したまま、蛍光色の識別性を向上させるために色変換部１２および色補正部１３で実行される処理を特徴としている。以下に、色変換部１２および色補正部１３の各処理について具体的に説明する。
【００３５】
色変換部１２は、ＲＧＢ値をＬ* ａ* ｂ* 値に変換する際に、ＲＧＢ値があらかじめ定められた複数の第１の範囲の値（複数の範囲に属する値）であるか否かを判断する。ここで、複数の第１の範囲とは、複数の特定蛍光色、例えば黄色、オレンジ色、ピンク色、紫色の４蛍光色と想定されるＲＧＢ値の範囲を言う。本例の場合には、４蛍光色ごとに４つの範囲があらかじめ定められる。
【００３６】
この複数の第１の範囲（本例では、４つの範囲）は、原稿から読み取った色が蛍光色であることを特定するための範囲とも言える。したがって、複数の第１の範囲は、印刷色領域外の当該印刷色領域に近い領域に定められることになる。ここで、印刷色領域とは、出力装置で再現できる色、即ち印刷色（本例では、ＹＭＣＫ）で再現可能な領域（色再現領域）を言い、あらかじめ印刷色として抽出されたパッチと称される見本色の色域となる。また、色域とは、色空間が表現できる色の範囲を言う。
【００３７】
図２に、蛍光色ごとに設定されるＲＧＢ値の範囲の一例を示す。ここでは、蛍光色の種類として、例えば黄色、オレンジ色、ピンク色および紫色の４色を挙げている。そして、一例として、黄色については、Ｂ範囲を７０〜８０、Ｇ範囲を０〜１０、Ｒ範囲を０〜１０とし、オレンジ色については、Ｂ範囲を９０〜１００、Ｇ範囲を４０〜５０、Ｒ範囲を０〜１０としている。
【００３８】
また、ピンク色については、Ｂ範囲を６０〜７０、Ｇ範囲を７０〜８０、Ｒ範囲を０〜１０とし、紫色については、Ｂ範囲を２０〜３０、Ｇ範囲を９０〜１００、Ｒ範囲を７０〜１００としている。ここで、これらの数値は、再現色の階調を２５６階調（８ビット）としたときの値（階調）を表わしている。ここで例示した数値は一例に過ぎず、これらの数値で限られるものではない。
【００３９】
そして、色変換部１２は、ＲＧＢ値が蛍光色を特定するための複数の第１の範囲の内の値であれば、ＲＧＢ値を印刷色領域外でかつ範囲同士の距離が第１識別閾値Ａ以上となる複数の第２の範囲の内のＬ* ａ* ｂ* 値（即ち、出力装置で再現できない色）に変換する。このとき、範囲同士の距離が第１識別閾値Ａとなる複数の第２の範囲は、蛍光色を特定するための複数の第１の範囲よりも印刷色領域から離れた位置に設定される。
【００４０】
ここで、複数の第２の範囲の範囲同士の距離とは、色の表現要素、例えば色相角差または彩度差を言う。また、第１識別閾値Ａは、複数の第２の範囲に属する蛍光色同士、より具体的には同じ色に再現され易い蛍光色同士を印刷色領域外において確実に（間違いなく）識別する閾値である。したがって、第１識別閾値Ａの距離を保つ複数の第２の範囲は、同じ色に再現され易い蛍光色同士を印刷色領域外においてより確実に識別する、換言すれば色の識別性を上げるための範囲とも言える。
【００４１】
図３に、同じ色に再現され易い蛍光色を印刷色領域外において識別するための基準となる第１識別閾値Ａの数値の一例を示す。
【００４２】
図３の例では、同じ色に再現され易い蛍光色の組合せとして、黄色とオレンジ色、紫色とピンク色の２組の組合せについて第１識別閾値Ａの数値を例示している。そして、複数の第２の範囲の範囲同士の距離を例えば色相角差としたとき、黄色−オレンジ色の組合せ、紫色−ピンク色の組合せのいずれの場合も、第１識別閾値Ａである色相角差を３０（度）としている。
【００４３】
なお、ここで例示した数値は一例に過ぎず、この数値で限られるものではない。また、本例では、複数の第２の範囲の範囲同士の距離を色相角差とした場合を例に挙げたが、色相角差に代えて彩度差を複数の第２の範囲の範囲同士の距離とすることも可能である。
【００４４】
色補正部１３は、マイクロコンピュータなどからなる制御部１３１を有し、当該制御部１３１による制御の下に、色変換部１２による色変換後のＬ* ａ* ｂ* データに対して画像処理、具体的には先述した彩度を上げる処理やフィルタリング処理などの各種の画像処理を行うとともに、以下に説明する色補正処理を実行する。
【００４５】
具体的には、色補正部１３は、色変換部１２による色変換後のＬ* ａ* ｂ* 値を、範囲同士の距離が第２識別閾値Ｂ以上となる複数の第３の範囲の内の値（即ち、出力装置で再現できる色）に色変換する。このときの複数の第３の範囲の範囲同士の距離も例えば色相角差または彩度差である。また、第２識別閾値Ｂは、複数の第３の範囲に属する蛍光色同士、より具体的には同じ色に再現され易い蛍光色同士を印刷色領域内において確実に（間違いなく）識別する閾値である。したがって、第２識別閾値ｂの距離を保つ複数の第３の範囲は、同じ色に再現され易い蛍光色同士を印刷色領域内においてより確実に識別する、換言すれば色の識別性を上げるための範囲とも言える。
【００４６】
図４に、同じ色に再現され易い蛍光色を印刷色領域内において識別するための基準となる第２識別閾値Ｂの数値の一例を示す。
【００４７】
図４の例でも、同じ色に再現され易い蛍光色の組合せとして、黄色とオレンジ色、紫色とピンク色の２組の組合せについての第２識別閾値Ｂの数値を例示している。そして、複数の範囲同士の距離を例えば色相角差としたとき、黄色−オレンジ色の組合せ、紫色−ピンク色の組合せのいずれの場合も、第２識別閾値Ｂである色相角差を２０（度）としている。
【００４８】
なお、ここで例示した数値は一例に過ぎず、この数値で限られるものではない。また、本例では、複数の第３の範囲の範囲同士の距離を色相角差とした場合を例に挙げたが、色相角差に代えて彩度差を複数の第３の範囲の範囲同士の距離とすることも可能である。
【００４９】
この色補正部１３において、制御部１３１は、Ｌ* ａ* ｂ* 値の条件で、色変換部１２による色変換後のＬ* ａ* ｂ* データに対して画像処理、具体的には彩度を上げる処理やフィルタリング処理等の各種の画像処理を実施するか否かを判断する。そして、制御部１３１は、Ｌ* ａ* ｂ* 値が、同じ色に再現され易い蛍光色同士を印刷色領域外において識別可能な複数の第２の範囲の内の値であれば、各種の画像処理を実施しないようにする。
【００５０】
因みに、Ｌ* ａ* ｂ* 値が複数の第２の範囲の内の値であるときに、彩度を上げる処理やフィルタリング処理などの各種の画像処理を実施すると、第１識別閾値Ａ以上に設定された複数の第２の範囲の範囲同士の距離が変化し、当該距離が第１識別閾値Ａよりも短くなってしまう場合がある。そこで、制御部１３１は、Ｌ* ａ* ｂ* 値が複数の第２の範囲の内の値であれば、当該複数の第２の範囲の範囲同士の距離を第１識別閾値Ａ以上に保つために画像処理を実施しないための制御を行う。
【００５１】
［画像処理方法］
続いて、上記構成の画像処理装置１０において実行される、本発明による画像処理方法の処理手順の一例について、図５のフローチャートに沿って説明する。ここでは、理解を容易にするために、図６のイメージ図を参照して説明するものとする。図６は理解を容易にするために簡易的に描写したイメージ図である。
【００５２】
図６において、縦軸はＲＧＢ表示系のＢを表わし、横軸はＲＧＢ表示系のＲを表わしている。また、図６には、印刷色領域２１と、蛍光色を特定するための２つの第１の範囲２２，２３と、印刷色領域２１外に設定される２つの第２の範囲２４，２５と、印刷色領域２１内に設定される２つの第３の範囲２６，２７とをそれぞれ示している。
【００５３】
２つの第２の範囲２４，２５は、範囲同士の距離が第１識別閾値Ａになるように設定され、同じ色に再現され易い蛍光色同士を印刷色領域２１外において識別する範囲である。また、２つの第３の範囲２６，２７は、範囲同士の距離が第２識別閾値Ｂになるように設定され、同じ色に再現され易い蛍光色同士を印刷色領域２１内において識別する範囲である。
【００５４】
先ず、画像読取部１１において、蛍光色を含む原稿の画像をＲＧＢ値で読み取る（ステップＳ１１）。そして、この読み取ったＲＧＢ値があらかじめ定められた、蛍光色を特定するための２つの第１の範囲２２，２３に属する値であるか否かを判断する（ステップＳ１２）。
【００５５】
画像読取部１１で読み取ったＲＧＢ値が２つの第１の範囲２２，２３の内の値であれば、原稿から読み取った色が蛍光色であると判定（特定）し、当該ＲＧＢ値を印刷色領域２１外の２つの第２の範囲２４，２５のＬ* ａ* ｂ* 値に変換する（ステップＳ１３）。このとき、２つの第２の範囲２４，２５は、範囲同士の距離が第１識別閾値Ａとなるようにあらかじめ設定されている。
【００５６】
一方、画像読取部１１で読み取ったＲＧＢ値が２つの第１の範囲２２，２３の内の値でなければ、原稿から読み取った色が蛍光色でない訳であるから、当該ＲＧＢ値を印刷色領域２１内のＬ* ａ* ｂ* 値に変換する（ステップＳ１４）。
【００５７】
次に、色変換後のＬ* ａ* ｂ* 値の処理に当たって、当該Ｌ* ａ* ｂ* 値が印刷色領域２１外でかつ距離が第１識別閾値Ａの２つの第２の範囲２４，２５に属する値であるか否かを判断する（ステップＳ１５）。
【００５８】
そして、色変換後のＬ* ａ* ｂ* 値が２つの第２の範囲２４，２５の内の値であれば、当該色変換後のＬ* ａ* ｂ* 値を印刷色領域２１内の２つの第３の範囲２６，２７の内の値に変換する（ステップＳ１６）。このとき、２つの第３の範囲２６，２７は、範囲同士の距離が第２識別閾値Ｂとなるようにあらかじめ設定されている。一方、色変換後のＬ* ａ* ｂ* 値が２つの第２の範囲２４，２５の内の値でなければ、当該Ｌ* ａ* ｂ* 値を印刷色領域２１内のＬ* ａ* ｂ* 値に変換する（ステップＳ１７）。
【００５９】
［変形例］
上記実施形態では、画素処理装置１０において、色変換部１２および色補正部１３をハードウェア構成によって実現する場合を例に挙げたが、ハードウェア構成に限られるものではない。
【００６０】
すなわち、色変換部１２および色補正部１３（以下、「画像処理部１０Ａ」と称する）については、パーソナルコンピュータのように、所定プログラムを実行することによって情報記憶処理、画像処理、演算処理等の各機能を実行するコンピュータ機器を利用してソフトウェア構成によって実現することも考えられる。また、ハードウェアとソフトウェアの複合構成によって実現することも可能である。
【００６１】
図７は、ソフトウェア構成によって実現する場合の画素処理部１０Ａを構成するコンピュータ機器の構成例を示すブロック図である。
【００６２】
コンピュータ機器によって構成される画素処理部１０Ａは、ＣＰＵ(Central Processing Unit:中央演算装置)１０１、Ｉ／Ｏ回路１０２、ＲＯＭ１０３、ＲＡＭ１０４およびＨＤＤ（ハードディスクドライブ装置）１０５を有し、これら構成要素がバスライン１０６を介して相互に通信可能に接続されている。
【００６３】
この画素処理部１０Ａにおいて、ＣＰＵ１０１は、演算処理を含む本画素処理部１０Ａ全体の処理の制御を行う。Ｉ／Ｏ回路１０２は、画像読取部１１や図示せぬ画像出力部などの周辺機器との入出力を管理する。ＲＯＭ１０３は、ＣＰＵ１０１による制御の下に実行される各種処理のための処理プログラムを格納する。ＲＡＭ１０４は、当該各種処理の実行時に使用される一次記憶装置である。ＨＤＤ１０５は、ＣＰＵ１０１による制御の下に処理された画像データを記憶する。
【００６４】
このように、画素処理部１０Ａの機能をソフトウェア構成によって実現する場合、図１の色変換部１２および色補正部１２としてコンピュータ機器を機能させるプログラム（画像処理プログラム）については、あらかじめコンピュータ機器内にインストールしておくことが考えられる。ただし、あらかじめインストールされているのではなく、コンピュータ機器で読取り可能な記憶媒体に格納されて提供されるものであっても良く、または有線若しくは無線による通信手段を介して配信されるものであっても良い。
【００６５】
以上、本発明について実施形態を用いて説明したが、本発明の技術的範囲は上記実施形態に記載の範囲には限定されるものではなく、発明の要旨を逸脱しない範囲で上記実施形態に多様な変更または改良を加えることができ、そのような変更または改良を加えた形態も本発明の技術的範囲に含まれる。
【００６６】
具体的には、上記実施形態では、複写機に適用した場合を例に挙げて説明したが、本発明は複写機への適用に限られるものではなく、フラットヘッドスキャナ、ハンディスキャナあるいはペン型スキャナ等の画像読取部を有する画像処理装置全般に対して適用可能である。
【００６７】
また、上記実施形態では、第２表色系の一例として、Ｌ* ａ* ｂ* 表色系を例に挙げて説明したが、Ｌ* ａ* ｂ* 表色系に限らず、印刷色の表色系（例えば、ＹＭＣＫ表色系）に変換可能な表色系であれば良い。
【符号の説明】
【００６８】
１０…画像処理装置、１１…画像読取部、１２…色変換部、１３…色補正部、２１…印刷色領域、２２，２３…蛍光色を特定する２つの範囲、２４，２５…同じ色に再現され易い蛍光色同士を識別する印刷色領域外の２つの範囲、２６，２７…同じ色に再現され易い蛍光色同士を識別する印刷色領域内の２つの範囲
【図１】
2010233170.tif 000003
【図２】
2010233170.tif 000004
【図３】
2010233170.tif 000005
【図４】
2010233170.tif 000006
【図５】
2010233170.tif 000007
【図６】
2010233170.tif 000008
【図７】
2010233170.tif 000009